(57)【要約】      （修正有）【課題】表示画像の印象を変えないようにバックライトの光量を下げ、消費電力の低減を図りつつ、デバイスコストの上昇を抑えた、画像処理装置を提供する。【解決手段】画像データを取得して、複数の画素に関する情報を含む第１表示画像データを生成し、第一表示画像データに含まれている画素の輝度分布を表すヒストグラムを生成し、生成されたヒストグラムにおいて、輝度の高い領域のうち、輝度分布全体の面積比に対して所定の割合に相当する領域をカットオフ領域とし、そのカットオフ領域にある画素の輝度を１００％に設定するとともに、輝度が０％から前記カットオフ領域の下限の輝度であるカットオフ輝度値の間にある画素の輝度を、その輝度分布を維持しながら輝度０％から輝度１００％になるように変更して第２表示画像データを生成する。第２表示画像データに基づく画像を、カットオフ輝度値に基づいて前記バックライトの光量の設定を変更し、表示する。【選択図】図３
2008175880.tif 000002
【特許請求の範囲】
【請求項１】
画像データを取得して、複数の画素に関する情報を含む第１表示画像データを生成する、第１表示画像データ生成手段と、
前記表示画像データに含まれている画素の輝度分布を表すヒストグラムを生成する、ヒストグラム生成手段と、
前記ヒストグラム生成手段で生成されたヒストグラムにおいて、輝度の高い領域のうち、輝度分布全体の面積比に対して所定の割合に相当する領域をカットオフ領域とし、そのカットオフ領域にある画素の輝度を１００％に設定するとともに、輝度が０％から前記カットオフ領域の下限の輝度であるカットオフ輝度値の間にある画素の輝度を、その輝度分布を維持しながら輝度０％から輝度１００％になるように変更して、第２表示画像データを生成する、第２表示画像データ生成手段と、
バックライトを有しており、前記第２表示画像データに基づく画像を表示する、画像表示ユニットと、
前記カットオフ輝度値に基づいて、前記バックライトの光量の設定を変更する、バックライト設定変更手段と、
を備えることを特徴とする画像処理装置。
【請求項２】
前記第１表示画像データに基づく画像も、前記画像表示ユニットに表示される、ことを特徴とする請求項１に記載の画像処理装置。
【請求項３】
前記ヒストグラム生成手段は、最も明るい輝度の設定を１００％とし、最も暗い輝度の設定を０％となるように、前記第１表示画像データに含まれている画素のヒストグラムを生成する、ことを特徴とする請求項１又は請求項２に記載の画像処理装置。
【請求項４】
前記第２表示画像データ生成手段は、輝度が０％から前記カットオフ輝度値の間にある画素の輝度を、輝度値×１００％／前記カットオフ輝度値により算出された値に変更する、ことを特徴とする請求項１乃至請求項３のいずれかに記載の画像処理装置。
【請求項５】
前記バックライト設定変更手段は、（１００％−前記カットオフ輝度値）の値に相当する分だけ、前記バックライトの光量として設定されている設定値から下がるように、前記バックライトの光量を変更する、ことを特徴とする請求項４に記載の画像処理装置。
【請求項６】
前記画像データは、静止画の画像データであることを特徴とする、請求項１乃至請求項５のいずれかに記載の画像処理装置。
【請求項７】
画像データを取得して、複数の画素に関する情報を含む第１表示画像データを生成するステップと、
前記表示画像データに含まれている画素の輝度分布を表すヒストグラムを生成するステップと、
前記生成されたヒストグラムにおいて、輝度の高い領域のうち、輝度分布全体の面積比に対して所定の割合に相当する領域をカットオフ領域とし、そのカットオフ領域にある画素の輝度を１００％に設定するとともに、輝度が０％から前記カットオフ領域の下限の輝度であるカットオフ輝度値の間にある画素の輝度を、その輝度分布を維持しながら輝度０％から輝度１００％になるように変更して、第２表示画像データを生成するステップと、
バックライトを有している画像表示ユニットに、前記第２表示画像データに基づく画像を表示するステップと、
前記カットオフ輝度値に基づいて、前記バックライトの光量の設定を変更するステップと、
を備えることを特徴とする画像処理装置の制御方法。
【請求項８】
画像データを取得して、複数の画素に関する情報を含む第１表示画像データを生成するステップと、
前記表示画像データに含まれている画素の輝度分布を表すヒストグラムを生成するステップと、
前記生成されたヒストグラムにおいて、輝度の高い領域のうち、輝度分布全体の面積比に対して所定の割合に相当する領域をカットオフ領域とし、そのカットオフ領域にある画素の輝度を１００％に設定するとともに、輝度が０％から前記カットオフ領域の下限の輝度であるカットオフ輝度値の間にある画素の輝度を、その輝度分布を維持しながら輝度０％から輝度１００％になるように変更して、第２表示画像データを生成するステップと、
バックライトを有している画像表示ユニットに、前記第２表示画像データに基づく画像を表示するステップと、
前記カットオフ輝度値に基づいて、前記バックライトの光量の設定を変更するステップと、
を画像処理装置に実行させるためのプログラム。
【発明の詳細な説明】
【技術分野】
【０００１】
本発明は、画像処理装置に関し、特に、バックライトによる消費電力の削減を図った画像処理装置に関する。
【背景技術】
【０００２】
ノート型パソコンや携帯用の小型情報端末などには、液晶ディスプレイとバックライトとから構成された液晶表示ユニットが用いられていることが多い。この液晶表示ユニットは、画像を液晶ディスプレイに表示するとともに、この液晶ディスプレイの後からバックライトを照射することにより、ユーザの視認性の向上を図っている。
【０００３】
このバックライトの光量は、ユーザが自らの好みで調節することができ、明るい画面を好むユーザは、バックライトの光量を高く設定し、逆に、暗い画面を好むユーザは、バックライトの光量を低く設定している。
【０００４】
また、ノート型パソコンや携帯用の小型情報端末などでは、バッテリーだけで駆動するような使用態様も想定されており、バックライトの消費電力は、このバッテリーによる駆動時間に大きな影響を及ぼしている。バックライトを明るく設定すると、バッテリーによる駆動時間が短くなることから、ユーザが、画面の視認性を犠牲にして、あえてバックライトを暗い設定にしている場合もある。
【０００５】
このようにユーザに不自由を強いてしまうという問題は、ノート型パソコンや携帯用の小型情報端末に限らず、液晶表示ユニットなどのバックライトを有する画像表示ユニットを備える画像処理装置で生じている。
【０００６】
このため、特開平１１−１０９３１７号公報（以下、特許文献１という）の画像処理装置では、表示画像の輝度値を上げるとともに、バックライトの光量を下げることにより、ユーザの表示画像に対する印象を変えないようにしつつ、バックライトによる消費電力の低減を図っている。しかし、この特許文献１の画像処理装置では、輝度値を上げた表示画像を生成ために専用の回路を用意しなければならず、デバイスコストの上昇を招いてしまっている。
【特許文献１】特開平１１−１０９３１７号公報
【発明の開示】
【発明が解決しようとする課題】
【０００７】
そこで本発明は、前記課題に鑑みてなされたものであり、ユーザに対する表示画像の印象を変えないようにバックライトの光量を下げることにより、バックライトによる消費電力の低減を図りつつ、デバイスコストの上昇を抑えた、画像処理装置を提供することを目的とする。
【課題を解決するための手段】
【０００８】
上記課題を解決するため、本発明に係る画像処理装置は、
画像データを取得して、複数の画素に関する情報を含む第１表示画像データを生成する、第１表示画像データ生成手段と、
前記表示画像データに含まれている画素の輝度分布を表すヒストグラムを生成する、ヒストグラム生成手段と、
前記ヒストグラム生成手段で生成されたヒストグラムにおいて、輝度の高い領域のうち、輝度分布全体の面積比に対して所定の割合に相当する領域をカットオフ領域とし、そのカットオフ領域にある画素の輝度を１００％に設定するとともに、輝度が０％から前記カットオフ領域の下限の輝度であるカットオフ輝度値の間にある画素の輝度を、その輝度分布を維持しながら輝度０％から輝度１００％になるように変更して、第２表示画像データを生成する、第２表示画像データ生成手段と、
バックライトを有しており、前記第２表示画像データに基づく画像を表示する、画像表示ユニットと、
前記カットオフ輝度値に基づいて、前記バックライトの光量の設定を変更する、バックライト設定変更手段と、
を備えることを特徴とする。
【０００９】
この場合、前記第１表示画像データに基づく画像も、前記画像表示ユニットに表示されるようにしてもよい。
【００１０】
また、前記ヒストグラム生成手段は、最も明るい輝度の設定を１００％とし、最も暗い輝度の設定を０％となるように、前記第１表示画像データに含まれている画素のヒストグラムを生成するようにしてもよい。
【００１１】
また、前記第２表示画像データ生成手段は、輝度が０％から前記カットオフ輝度値の間にある画素の輝度を、輝度値×１００％／前記カットオフ輝度値により算出された値に変更するようにしてもよい。
【００１２】
この場合、前記バックライト設定変更手段は、（１００％−前記カットオフ輝度値）の値に相当する分だけ、前記バックライトの光量として設定されている設定値から下がるように、前記バックライトの光量を変更するようにしてもよい。
【００１３】
また、前記画像データは、静止画の画像データであってもよい。
【００１４】
本発明に係る画像処理装置の制御方法は、
画像データを取得して、複数の画素に関する情報を含む第１表示画像データを生成するステップと、
前記表示画像データに含まれている画素の輝度分布を表すヒストグラムを生成するステップと、
前記生成されたヒストグラムにおいて、輝度の高い領域のうち、輝度分布全体の面積比に対して所定の割合に相当する領域をカットオフ領域とし、そのカットオフ領域にある画素の輝度を１００％に設定するとともに、輝度が０％から前記カットオフ領域の下限の輝度であるカットオフ輝度値の間にある画素の輝度を、その輝度分布を維持しながら輝度０％から輝度１００％になるように変更して、第２表示画像データを生成するステップと、
バックライトを有している画像表示ユニットに、前記第２表示画像データに基づく画像を表示するステップと、
前記カットオフ輝度値に基づいて、前記バックライトの光量の設定を変更するステップと、
を備えることを特徴とする。
【００１５】
本発明に係るプログラムは、
画像データを取得して、複数の画素に関する情報を含む第１表示画像データを生成するステップと、
前記表示画像データに含まれている画素の輝度分布を表すヒストグラムを生成するステップと、
前記生成されたヒストグラムにおいて、輝度の高い領域のうち、輝度分布全体の面積比に対して所定の割合に相当する領域をカットオフ領域とし、そのカットオフ領域にある画素の輝度を１００％に設定するとともに、輝度が０％から前記カットオフ領域の下限の輝度であるカットオフ輝度値の間にある画素の輝度を、その輝度分布を維持しながら輝度０％から輝度１００％になるように変更して、第２表示画像データを生成するステップと、
バックライトを有している画像表示ユニットに、前記第２表示画像データに基づく画像を表示するステップと、
前記カットオフ輝度値に基づいて、前記バックライトの光量の設定を変更するステップと、
を画像処理装置に実行させることを特徴とする。
【発明を実施するための形態】
【００１６】
以下、図面を参照して、本発明の実施形態を説明する。なお、以下に説明する実施形態は、本発明の技術的範囲を限定するものではない。
【００１７】
図１は、本実施形態に係る画像処理装置１０の内部構成の一例を概略的に示すブロック図である。この図１に示すように、本実施形態に係る画像処理装置１０は、ＣＰＵ（Central Processing Unit）２０と、メモリ２２と、メモリ制御部２４と、ハードディスクドライブ２６と、液晶ディスプレイ駆動回路３０と、バックライト制御回路３２と、液晶表示ユニット４０と、バッテリー５０とを備えて構成されている。また、液晶表示ユニット４０は、液晶ディスプレイ４２と、バックライト４４とを備えて構成されている。
【００１８】
ＣＰＵ２０は、この画像処理装置１０の各種の制御を行うためのユニットであり、本実施形態では、ハードディスクドライブ２６から読み込んだ静止画の画像データに基づいて、表示画像データを生成し、液晶表示ユニット４０に表示する処理を行う。メモリ２２は、いわゆるＲＡＭ（Random Access Memory）により構成されており、ＣＰＵ２２が各種の処理を行う際に必要となるデータやプログラムや、一時的に、格納される。
【００１９】
ハードディスクドライブ２６からデータやプログラムをメモリ２２に読み込むための制御は、メモリ制御部２４が行う。すなわち、メモリ制御部２４は、いわゆるＤＭＡコントローラにより構成されており、ＣＰＵ２０からの指示に基づいて、メモリ制御部２４が駆動され、ＣＰＵ２０に指定されたデータやプログラムが、メモリ制御部２４の制御の下、ハードディスクドライブ２６から読み出されて、メモリ２２に格納される。
【００２０】
液晶ディスプレイ駆動回路３０は、ＣＰＵ２０からの指示に基づいて、メモリ２２から表示画像データを取得して、液晶ディスプレイ４２を駆動し、画像を液晶ディスプレイ４２に表示する。本実施形態においては、この液晶ディスプレイ４２は、２枚の透明基板の間に液晶と偏光板が挟まれて構成されている。そして、マトリックス状に配置された複数のトランジスタを液晶ディスプレイ駆動回路３０が個別に駆動制御して、液晶に電圧を印加することにより、所定の画像を液晶ディスプレイ４２に形成する。また、本実施形態においては、２枚の透明基板の間にカラーフィルターが設けられており、カラーの画像が液晶表示ユニット４０に表示されるように構成されている。さらに、液晶ディスプレイ４２に後側には、バックライト４４が配置されており、液晶ディスプレイ４２に形成された画像の視認性の向上が図られている。
【００２１】
バックライト制御回路３２は、ＣＰＵ２０からの指示に基づいて、バックライト４４を駆動する。すなわち、バックライト制御部３２は、ＣＰＵ２０からの指示に基づいて、バックライトを点灯したり、消灯したりするとともに、バックライト４４に印加される電圧を制御して、バックライト４４の光量を上げたり、下げたりする。一般に、バックライト４４の光量が増加すると、液晶ディスプレイ４２に表示された画像に対するユーザの視認性は向上すると言われている。
【００２２】
バッテリー５０は、この画像処理装置１０内の各所に電源を供給する。バッテリー５０は、いわゆる再充電可能な二次電池により構成されている。なお、本実施形態における画像処理装置１０は、家庭用のコンセントから取得したＡＣ電源でも駆動するように構成されており、バッテリー５０に対する充電も、ＡＣ電源から供給した電源により行われる。
【００２３】
図２は、本実施形態に係る画像処理装置１０において、液晶表示ユニット４０に画像を表示する仕組みを概念的に説明するための図である。この図２に示すように、本実施形態に係る画像処理装置１０においては、メモリ２２に、第１画像格納領域６０と、第２画像格納領域７０とが形成される。これら第１画像格納領域６０と第２画像格納領域７０は、いわゆるＶＲＡＭと呼ばれるデータ格納領域である。
【００２４】
そして、例えば、第１画像格納領域６０に展開された表示画像データに基づいて、液晶表示ユニット４０に画像が表示されている間に、第２画像格納領域７０に次の画像データに基づく表示画像データが展開され、格納される。そして、次の画像を液晶表示ユニット４０に表示する際には、液晶ディスプレイ駆動回路３０は、第２画像格納領域７０に展開されている表示画像データに基づいて液晶表示ユニット４０に画像を表示する。これにより、液晶表示ユニット４０における画像切替が迅速に行えるようにしている。本実施形態においては、駆動回路３０は、第１画像格納領域６０に格納されている表示画像データと、第２画像格納領域７０に格納されている表示画像データとを、３３ｍ秒間隔で交互に切り換えて、液晶表示ユニット４０に出力する。すなわち、本実施形態における液晶表示ユニット４０は、１フレームが３３ｍ秒である。
【００２５】
次に、図３に基づいて、この画像処理装置１０で実行される画像表示処理について、説明する。本実施形態においては、この図３に示す画像表示処理は、ハードディスクドライブ２６に格納されている画像表示処理プログラムをＣＰＵ２０が読み込んで実行することにより、実現される処理である。また、この画像表示処理は、ユーザの指示やＣＰＵ２０のプログラム処理により、液晶表示ユニット４０に表示する静止画像が特定された場合に、各静止画像毎に駆動される処理である。
【００２６】
この図３に示すように、画像処理装置１０は、指定された画像を液晶表示ユニット４０に表示する（ステップＳ１００）。具体的には、画像処理装置１０は、ハードディスクドライブ２６から指定された画像データを読み出して、画像表示データに展開して、メモリ２２内の第１画像格納領域６０又は第２画像格納領域７０に格納する。そして、液晶ディスプレイ駆動回路３０が展開された表示画像データに基づいて、液晶ディスプレイ４２を駆動制御して、液晶表示ユニット４０に画像を表示する。これにより、例えば、図４に示すような画像が、液晶表示ユニット４０に表示される。このことから分かるように、画像表示データには、画像を形成するための複数の画素に関する情報が含まれている。また、各画素の情報は、一般に、赤、緑、青の３つの色の表示階調に関する情報が含まれている。
【００２７】
次に、画像処理装置１０は、表示した画像のヒストグラムを生成する（ステップＳ１１０）。図５は、このステップＳ１１０で生成されるヒストグラムＨＧ１０の一例を示す図である。この図５に示すように、ヒストグラムＨＧ１０では、横軸は輝度を表しており、本実施形態では、この輝度は、０％から１００％の値で表現される。この輝度は０％が最も暗い値であり、１００％が最も明るい値である。縦軸はその輝度における頻度、すなわち画素数を表している。頻度が大きくなるほど、それに対応する輝度の画素数が多いことを表している。対応する輝度の画素がまったく無い場合には、その頻度は０となる。
【００２８】
このステップＳ１１０では、画像処理装置１０は、メモリ２２に展開されている表示画像データを読み出して、この表示画像データに基づいて、ヒストグラムＨＧ１０を生成する。すなわち、メモリ２２の第１画像格納領域６０又は第２画像格納領域７０に格納されている表示画像データに基づいて、各画素の輝度を取得してカウントする。そして、このカウント結果に基づいて、ヒストグラムＨＧ１０を生成する。表示画像データにおける各画素が、赤、緑、青の３つの色の表示階調で表現されている場合には、各色の表示階調に基づいて輝度を算出する。
【００２９】
なお、このステップＳ１１０では、ハードディスクドライブ２６から読み出した画像データに基づいて、各画素の輝度を算出するようにしてもよい。画像データから輝度を算出する際に、画像データのフォーマットに各画素毎の輝度情報が含まれている場合には、この輝度情報を用いて、各画素の輝度を求めればよい。一方、画像データのフォーマットに各画素の輝度情報が含まれていない場合には、そのフォーマットに含まれている画素情報に基づいて輝度情報を算出すればよい。
【００３０】
この各画素の輝度のカウントは、ある１つの画素の輝度を取得して、その画素が例えば５０％であれば、５０％の輝度の頻度をプラス１する。このカウント処理をすべての画素について行えば、ヒストグラムＨＧ１０を作成することができる。但し、画素数が多い場合には、輝度を取得してカウントする画素数を間引くようにしてもよい。例えば、２画素につき１画素の割合で、輝度を取得するようにしてもよいし、矩形領域を形成する４画素のうちの１画素についてのみ輝度を取得するようにしてもよい。
【００３１】
次に、画像処理装置１０は、カットオフするカットオフ輝度値を決定する（ステップＳ１２０）。すなわち、ステップＳ１１０で生成されたヒストグラムＨＧ１０に基づいて計算により、カットオフ輝度値を決定する。本実施形態では、生成されたヒストグラムＨＧ１０を積分して、輝度分布全体の面積を求め、この輝度分布全体の面積のうち、輝度の高い方の１０％に相当する領域がカットオフ領域の対象となるように、カットオフ輝度値を決定する。すなわち、カットオフ領域の下限となるカットオフ輝度値を、カットオフ領域が輝度分布全体の１０％になるように設定する。
【００３２】
但し、このカットオフ輝度値は、９０％や９５％というように、予め固定値として定めておくようにしてもよい。また、カットオフする面積比を画像処理装置１０の設定モードに応じて、変更するようにしてもよい。例えば、画像処理装置１０がパワーセーブモードに設定されている場合には、輝度分布全体の面積における輝度の高い方の３０％に相当する面積が、カットオフ領域の対象となるようにカットオフ輝度値を決定しても良いし、画像処理装置１０が高精細表示モードに設定されている場合には、輝度分布全体の面積における輝度の高い方の５％に相当する面積だけが、カットオフ領域の対象となるようにカットオフ輝度値を決定しても良い。
【００３３】
次に、画像処理装置１０は、表示画像データの各画素の輝度を変更する（ステップＳ１３０）。すなわち、画像処理装置１０は、ステップＳ１２０で決定したカットオフ輝度値に基づいて、メモリ２２に格納されている表示画像データの各画素の輝度を全体的に上げる。本実施形態では、例えば、変更後の輝度＝元の輝度×１００％／（カットオフ輝度値）により算出する。但し、変更後の輝度の最大値も１００％であり、計算結果が１００％を超えた画素については、変更後の輝度は１００％とする。
【００３４】
例えば、ステップＳ１２０で決定したカットオフの輝度値が９０％であったとすると、このステップＳ１３０の処理により、現在の輝度が９０％の画素は、その輝度が１００％に変更される。また、現在の輝度が１０％の画素は、その輝度が１１．１％に変更される。但し、現在の輝度が９０％以上１００以下の画素については、その輝度はすべて１００％に集約される。
【００３５】
輝度を変更した後の表示画像データのヒストグラムを仮に生成したとすると、例えば、図６に示すようになる。すなわち、輝度変更後のヒストグラムＨＧ２０では、ヒストグラムＨＧ１０の元の輝度値が９０％以上の画素については、すべて１００％の輝度に集約される。また、元の輝度値が０％以上９０％未満の画素については、それぞれの輝度が０％以上１００％未満の間に伸張される。
【００３６】
変更後の輝度により構成された表示画像データは、変更前の表示画像データが格納されている画像格納領域とは別の画像格納領域に格納される。すなわち、変更前の表示画像データが第１画像格納領域６０に格納されている場合には、変更後の表示画像データは第２画像格納領域７０に格納される。また、変更前の表示画像データが第２画像格納領域７０に格納されている場合には、変更後の表示画像データは第１画像格納領域６０に格納される。これにより、次のフレーム期間で液晶表示ユニット４０に表示に表示される画像が輝度を変更した後の画像に切り替わる。
【００３７】
次に、画像処理装置１０は、ステップＳ１２０で決定したカットオフ輝度値に基づいて、バックライト４４の光量を変更する（ステップＳ１４０）。すなわち、例えばステップＳ１２０でカットオフ輝度値が９０％に決定していた場合には、高い輝度の１０％分の領域がカットオフされるので、画像処理装置１０は、バックライト４４の光量を１０％分減少させる。具体的には、画像処理装置１０のバックライト制御回路３２は、バックライト４４の電圧を１０％分低くする。但し、バックライト４４の光量とバックライト４４の電圧との関係が非線形であり、カットオフされた輝度の割合で単純に電圧を下げただけでは適正な効果が得られない場合には、何らかの換算式を用いて、バックライト４４の電圧を下げる割合を決定するようにすればよい。
【００３８】
また、本実施形態のステップＳ１４０では、画像処理装置１０のバックライト４４の光量のユーザ設定に基づいて、光量を変更することとしている。例えば、ユーザが画像処理装置１０のバックライト４４の設定を１００％の光量に設定している場合には、このバックライト４４の設定値１００％から、１０％低く光量を設定して、９０％の光量に変更する。また、ユーザが画像処理装置１０のバックライト４４の設定を５０％の光量に設定している場合には、このバックライト４４の設定値５０％から、１０％低く光量を設定して、４５％の光量に変更する。
【００３９】
このステップＳ１４０により、本実施形態に係る画像表示処理は終了する。
【００４０】
以上のように、本実施形態に係る画像処理装置１０によれば、表示画像データの各画素の輝度を上げるとともに、バックライト４４の光量をその分下げることとしたので、ユーザの表示画像に対する印象を大きく落とすことなく、バックライト４４で消費される電力を削減することができる。すなわち、表示画像のヒストグラムＨＧ１０を生成し、このヒストグラムＨＧ１０において、カットオフ輝度値以上の輝度を有する画素をカットオフする画素として、輝度１００％に設定変更するとともに、０％の輝度からカットオフ輝度値までの画素の輝度を０％から１００％に引き延ばして、ヒストグラムの輝度分布が大きく変わらないようにした。このため、バックライト４４の光量をその分落としても、液晶表示ユニット４０に表示される画像の印象を大きく変えないようにすることができる。
【００４１】
また、本実施形態に係る画像表示処理は、ＣＰＵ２０により実行されるソフトウェアで実現されるので、ハードウェアで実現する場合と比べて、製造コストの低減を図ることができる。
【００４２】
なお、本発明は上記実施形態に限定されず種々に変形可能である。例えば、上述した画像処理装置１０では、静止画の画像データに基づいて液晶表示ユニット４０に画像を表示する場合を例に本発明を説明したが、動画の画像データに基づいて液晶表示ユニット４０に画像を表示する場合にも本発明を適用することができる。
【００４３】
また、上述した実施形態では、画像表示ユニットが液晶表示ユニット４０である場合を例に本発明を説明したが、画像表示ユニットは光量を調整できるバックライトを備えているものであれば、本発明を同様に適用できる。
【００４４】
また、上述した実施形態では、バックライトの光量を変更する前の画像もステップＳ１００で表示することとしたが、画像が切り替わって次の画像が表示されるまでの時間が僅かに遅れても差し支えない場合には、バックライトの光量を変更する前の画像は表示しないようにすることもできる。但し、本実施形態のように、バックライトの光量を変更する前の画像を表示する場合でも、通常、１フレームの時間は３３ｍ秒であるため、表示された画像の変化は肉眼では認識できないと考えられる。
【図面の簡単な説明】
【００４５】
【図１】本実施形態に係る画像処理装置の内部構成の一例を示すブロック図。
【図２】メモリに形成される第１画像格納領域と第２画像格納領域と液晶表示ユニットと関係を概念的に説明する図。
【図３】図１の画像処理装置で実行される画像表示処理の内容を説明するフローチャートを示す図。
【図４】図１の液晶表示ユニットに表示される画像の一例を示す図。
【図５】液晶表示ユニットに表示された画像のヒストグラムの一例を示す図。
【図６】図３の画像表示処理で変更された表示画像のヒストグラムの一例を示す図。
【符号の説明】
【００４６】
１０  画像処理装置
２０  ＣＰＵ
２２  メモリ
２４  メモリ制御部
２６  ハードディスクドライブ
３０  液晶ディスプレイ駆動回路
３２  バックライト制御回路
４０  液晶表示ユニット
４２  液晶ディスプレイ
４４  バックライト
【図１】
2008175880.tif 000003
【図２】
2008175880.tif 000004
【図３】
2008175880.tif 000005
【図４】
2008175880.tif 000006
【図５】
2008175880.tif 000007
【図６】
2008175880.tif 000008